(57)【要約】【課題】洗浄対象物の更なる微細化、構造複雑化に対応することが可能な技術を提供することにある。【解決手段】本発明の一態様によれば、櫛形電極を有する圧電素子を用いた弾性表面波により、超音波振動を発生する振動子と、前記振動子を駆動するための超音波発振器と、洗浄対象物が設置され、洗浄液で満たされた洗浄槽と、を備え、超音波発振器から高周波電力を供給することにより、洗浄液中に発生する音響流、あるいは、洗浄液と洗浄液中に伝わる超音波振動を振動子に発生させる技術が提供される。【選択図】図１
2019153638.tif 000002
【特許請求の範囲】
【請求項１】
櫛形電極を有する圧電素子を用いた弾性表面波により、超音波振動を発生する振動子と、
前記振動子を駆動するための超音波発振器と、
洗浄対象物が設置され、洗浄液で満たされた洗浄槽と、を備え、
前記超音波発振器は、高周波電力を供給することにより、前記洗浄液中に発生する音響流、あるいは、前記洗浄液と前記洗浄液中に伝わる前記超音波振動を前記振動子に発生させることを特徴とする超音波洗浄装置。
【請求項２】
請求項１の超音波洗浄装置において、
前記圧電素子を複数具備し、
それぞれの前記櫛形電極から発生する弾性表面波により生じる音響流、あるいは前記洗浄液中に伝わる前記超音波振動を合成させることを特徴とした超音波洗浄装置。
【請求項３】
請求項１の超音波洗浄装置において、
前記振動子が前記洗浄対象物の裏面側に設置し、
前記洗浄対象物の裏面側から超音波を照射して、前記振動子から放射される超音波を前記洗浄対象物に透過させることにより、前記洗浄対象物を振動させること特徴とした超音波洗浄装置。
【請求項４】
櫛形電極を有する圧電素子を用いた弾性表面波により、超音波振動を発生する振動子と、前記振動子を駆動するための超音波発振器と、洗浄対象物が設置され、洗浄液で満たされた洗浄槽と、を備えた超音波洗浄装置を用いた洗浄方法であって、
前記超音波発振器から高周波電力を供給することにより、前記洗浄液中に発生する音響流、あるいは、前記洗浄液と前記洗浄液中に伝わる前記超音波振動を前記振動子に発生させることを特徴とする洗浄方法。
【請求項５】
櫛形電極を有する圧電素子を構成する基板と、
前記基板の裏面に設けられた給電点と、
前記櫛形電極と前記給電点とを接続する様に、前記基板に設けられた貫通電極と、
前記櫛形電極を覆う様に設けられた保護膜と、を具備することを特徴とする振動子。
【発明の詳細な説明】
【技術分野】
【０００１】
本開示は、洗浄対象物である半導体ウエハ等の微細加工品に対して、超音波振動を照射する事により洗浄処理を行う超音波洗浄装置及び洗浄方法に関するものである。
【背景技術】
【０００２】
洗浄装置として、超音波振動面を被洗浄物表面に近づけて処理する超音波洗浄装置（特開２０１１-１１５７１７号参照）や、洗浄対象物へのダメージを軽減する超音波洗浄装置（特開２０１３-８６０５９号参照）が提案されている。
【先行技術文献】
【特許文献】
【０００３】
【特許文献１】特開２０１１-１１５７１７号公報
【特許文献２】特開２０１３-８６０５９号公報
【発明の概要】
【発明が解決しようとする課題】
【０００４】
洗浄対象物の更なる微細化と構造複雑化が進み、上記超音波洗浄装置では微細異物が除去しきれない、という課題がある。
【０００５】
本発明の目的は、洗浄対象物の更なる微細化、構造複雑化に対応することが可能な技術を提供することにある。
【課題を解決するための手段】
【０００６】
本発明の一態様によれば、櫛形電極を有する圧電素子を用いた弾性表面波により、超音波振動を発生する振動子と、前記振動子を駆動するための超音波発振器と、洗浄対象物が設置され、洗浄液で満たされた洗浄槽と、を備え、超音波発振器から高周波電力を供給することにより、洗浄液中に発生する音響流、あるいは、洗浄液と洗浄液中に伝わる超音波振動を振動子に発生させる技術が提供される。
【発明の効果】
【０００７】
上記超音波洗浄装置によれば、洗浄液中に発生する音響流、あるいは洗浄液と洗浄液中に伝わる超音波振動の相乗効果により、洗浄対象物上の微細異物を除去することが可能である。
【図面の簡単な説明】
【０００８】
【図１】本発明の実施形態である超音波洗浄装置の一例を示す概略図である。
【図２】図１の櫛形電極４の構成を概念的に示す図である。
【図３】図１の櫛形電極４の他の構成を概念的に示す図である。
【図４】本発明の実施形態である複数の櫛形電極を具備する振動子の一例を示す概略図である。
【図５】本発明の実施形態である複数の櫛形電極を具備する振動子の他の一例を示す概略図である。
【図６】本発明の実施形態である複数の櫛形電極より洗浄液の中に放射される弾性表面波の一例を示す概略図である。
【図７】除去したい微細異物の大きさに対して、その付着力と、超音波での除去力を理論計算モデルにて算出した結果を示したグラフである。
【図８】単位面積当たりの超音波強度と、その周波数によるキャビテーション発生しきい値を理論計算モデルにて算出した結果を示すグラフである。
【図９】（Ａ）本発明の実施形態の応用例である洗浄対象物の裏面から超音波を照射させる洗浄装置における洗浄方法の一例を示す概略図である。（Ｂ）本発明の実施形態の応用例である洗浄対象物の裏面から超音波を照射させる洗浄装置における洗浄方法の一例を示す詳細図である。
【図１０】本発明の実施形態の応用例であり、洗浄対象物に、振動子を直接接触させて振動を伝達させる洗浄装置における洗浄方法の一例を示す概略図である。
【図１１】本発明の実施形態の応用例であり、洗浄対象物に、振動子を直接接触させて振動を伝達させる洗浄装置における洗浄方法の一例を示す詳細図である。
【図１２】本発明の実施形態の応用例であり、洗浄対象物に、超音波もしくは超音波振動を伝搬させる物質を直接接触させて振動を伝達させる洗浄装置における洗浄方法の一例を示す詳細図である。
【図１３】本発明の実施形態の応用例であり、圧電素子の発熱を抑制させる冷却器を取り付けた振動子を示す概略図である。
【発明を実施するための形態】
【０００９】
以下、実施形態について、図面を用いて説明する。ただし、以下の説明において、同一構成要素には同一符号を付し繰り返しの説明を省略することがある。なお、図面は説明をより明確にするため、実際の態様に比べ、各部の幅、厚さ、形状等について模式的に表される場合があるが、あくまで一例であって、本発明の解釈を限定するものではない。
【００１０】
（実施形態）
まず、超音波洗浄装置及び洗浄方法に関する要求および課題を説明する。
【００１１】
半導体ウエハ等の微細加工品への超音波照射によるダメージを軽減するためには、超音波により洗浄液中に生じるキャビテーションが発生しにくい高周波化が求められる。ここで、キャビテーションとは、超音波で洗浄液を膨張・圧縮させることにより発生するものであり、その力は超音波の周波数と強度に依存する。
【００１２】
超音波洗浄装置用の振動子に用いられる一般的な圧電素子は、チタン酸ジルコン酸鉛（以下、ＰＺＴ）から構成されたＰＺＴ素子である。ＰＺＴ素子は、高周波数（１〜２ＭＨｚ付近）から更に高周波化するためには、ＰＺＴ素子の特性によりＰＺＴ素子の厚みを更に薄くする必要がある。この場合、ＰＺＴ素子の機械的強度が低下するので、実用での印加電力や振動に耐えられなくなり、ＰＺＴ素子が壊れてしまう虞がある。
【００１３】
また、ＰＺＴ素子は高周波化に伴いインピーダンスが低くなるというインピーダンス特性を有する。ＰＺＴ素子に高電力を印加する場合、洗浄液等の周辺環境の変動によって生じるインピーダンスの変化の影響度が大きくなり、電流変動も大きくなるので、超音波洗浄装置の破損要因にもなってしまう。このため、ＰＺＴ素子への印加電力を低くする必要があり、得られる洗浄効果が低くなってしまう虞がある。
【００１４】
以下、実施態様について図面を用いて説明する。
【００１５】
図１に示される超音波洗浄装置１００は、次の様な構成とされる。すなわち、１は例えば半導体ウエハ等の微細加工された洗浄対象物であり、２が洗浄対象物１の表面に構成される微細異物が付着している微細加工物である。３、４が本実施形態における振動子１０１であり、３は圧電素子、４は櫛形電極である。５は振動子１０１へ高周波電力を供給する超音波発振器であり、高周波同軸ケーブル１０２で接続される。６は洗浄のための洗浄槽であり、洗浄槽６は洗浄液７で満たされている。振動子１０１を超音波発振器５で駆動することにより、８で示すように音響流あるいは超音波振動が櫛形電極４の部分から洗浄液７の中に発生し、洗浄対象物１に付着した微細異物を除去する。
【００１６】
図２は、図１の櫛形電極４の構成を概念的に示す図である。この例は、１つの圧電素子３の上面に、１つの櫛形電極４を形成した振動子１０１を示している。櫛形電極４は、圧電素子３の上面に形成された、互いに噛み合う櫛形の一方の電極Ｅ１と他方の電極Ｅ２とを有する。電極Ｅ１は高周波同軸ケーブル１０２の＋（ＨＯＴ）極に接続され、電極Ｅ２は高周波同軸ケーブル１０２の−（ＧＮＤ）極に接続され、超音波発振器５から発生された高周波電力が電極Ｅ１および電極Ｅ２に供給される。
【００１７】
図３は、図１の櫛形電極４の他の構成を概念的に示す図である。この例は、１つの圧電素子３の上面に、２つの櫛形電極４＿１、４＿２を形成した振動子１０１を示している。櫛形電極４＿１、４＿２のおのおのは、図２と同様に、互いに噛み合う櫛形の一方の電極Ｅ１と他方の電極Ｅ２とを有する。図２と同様に、電極Ｅ１は高周波同軸ケーブル１０２の＋（ＨＯＴ）極に接続され、電極Ｅ２は高周波同軸ケーブル１０２の−（ＧＮＤ）極に接続される。図３に示される振動子１０１は、図２に示される振動子１０１と比較して、その供給可能電力を大きく出来るので、より十分な洗浄効果を得ることが可能である。したがって、洗浄対象物１の表面に付着する微細異物の種類に応じて、最適な振動子１０１を選択するのが好ましい。図３では、２つの櫛形電極４＿１、４＿２を１つの圧電素子３に設けた例を示したが、これに限定されない。櫛形電極の数は、３つでも良いし、４つでも良い。
【００１８】
図４は、４つの櫛形電極を設置する場合の構成例を示す図である。
【００１９】
圧電素子３の表面には、４つの櫛形電極４ａ、４ｂ、４ｃ、４ｄが、櫛形電極４ａ〜４ｄの４極間の中心点から等距離に、９０°の間隔で設置される。櫛形電極４ａ〜４ｄから洗浄液７の中に放射される音響流あるいは超音波振動８ａ、８ｂ、８ｃ、８ｄには方向性があり、それらが図４に示される焦点１０の部分で合成される。なお、超音波振動は、弾性表面波という事もできる。
【００２０】
図５は、図４に示される振動子１０１の変形例である。図５において、４つの櫛形電極４ａ、４ｂ、４ｃ、４ｄのおのおのは対応する圧電素子３ａ、３ｂ、３ｃ、３ｄの上面に形成されて、４つの独立した振動子１０１ａ、１０１ｂ、１０１ｃ、１０１ｄが構成される。４つの振動子１０１ａ、１０１ｂ、１０１ｃ、１０１ｄは、図４で説明された４つの櫛形電極４ａ、４ｂ、４ｃ、４ｄの設置と同様な思想により、給電用配線基板ＰＣＢの表面に設置される。給電用配線基板ＰＣＢには、超音波発振器５からの高周波電力が供給される端子として、第１の電極対Ｐ１、Ｐ２と第２の電極対Ｐ３、Ｐ４を有する。第１の電極対Ｐ１、Ｐ２は、配線Ｌ１，Ｌ２を介して、櫛形電極４ｄの電極Ｅ１，Ｅ２および櫛形電極４ｂの電極Ｅ１，Ｅ２にそれぞれ接続される。第２の電極対Ｐ３、Ｐ４は、配線Ｌ３，Ｌ４を介して、櫛形電極４ａの電極Ｅ１，Ｅ２に接続され、また、配線Ｌ５，Ｌ６を介して、櫛形電極４ｃの電極Ｅ１，Ｅ２に接続される。このようにして、振動子１０１ａ、１０１ｂ、１０１ｃ、１０１ｄのおのおのに、超音波発振器５からの高周波電力が供給される。なお、振動子１０１ａ、１０１ｂ、１０１ｃ、１０１ｄと給電用配線基板ＰＣＢの配線Ｌ１−Ｌ６との接続部、および、給電用配線基板ＰＣＢの表面および裏面は、防水加工が施される。
【００２１】
したがって、振動子１０１ｂ、１０１ｄは、第１の電極対Ｐ１、Ｐ２から同一の高周波電力が供給され、振動子１０１ａ、１０１ｃは、第２の電極対Ｐ３、Ｐ４から同一の高周波電力が供給される。第１の電極対Ｐ１、Ｐ２と第２の電極対Ｐ３、Ｐ４とに同一の高周波電力を供給すれば、振動子１０１ａ、１０１ｂ、１０１ｃ、１０１ｄは、同一の音響流あるいは超音波振動を発生する。一方、第１の電極対Ｐ１、Ｐ２のみに高周波電力を供給すれば、振動子１０１ｂ、１０１ｄから音響流あるいは超音波振動が発生する。また、第２の電極対Ｐ３、Ｐ４のみに高周波電力を供給すれば、振動子１０１ａ、１０１ｃから音響流あるいは超音波振動が発生する。また、第１の電極対Ｐ１、Ｐ２に供給する高周波電力と、第２の電極対Ｐ３、Ｐ４に供給する高周波電力とを、同一では無く、異ならせることも可能である。つまり、図５の実施形態によれば、発生させる音響流あるいは超音波振動を細かく制御することが可能である。
【００２２】
図６において、図６（Ａ）は、図４または図５の櫛形電極４ａ〜４ｄを正面から描いた図である。図６（Ｂ）は、上下に対向して設置された２つの櫛形電極４ａ、４ｃから放射された音響流あるいは弾性表面波（８ａ、８ｃ）の進行方向（注目する疎密波の波面の垂線）を真横方向から描いた図である。図６（Ｃ）は、左右に対向して設置された２つの櫛形電極４ｂ、４ｄから放射された音響流あるいは弾性表面波（８ｂ、８ｄ）の進行方向を真上方向から描いた図である。
【００２３】
図６（Ａ）を参照して、図４または図５で説明された様に、櫛形電極４ａ、４ｂ、４ｃ、４ｄは、櫛形電極４ａ〜４ｄの４極間の中心点Ｃ０から、図６(Ｂ)、および図６（Ｃ）において、１２で示されるように等距離に、９０°の間隔で設置される。圧電素子３の表面において、上下に対向して設置された２つの櫛形電極４ａ、４ｃから放射された音響流あるいは弾性表面波（８ａ、８ｃ）、および、左右に対向して設置された２つの櫛形電極４ｂ、４ｄから放射された音響流あるいは弾性表面波（８ｂ、８ｄ）のそれぞれが、焦点１０で合成されることを示している。
【００２４】
図６には、圧電素子３（３ａ，３ｂ，３ｃ，３ｄ）として、ニオブ酸リチウム（ＬｉＮｂＯ３：Ｌｉｔｈｉｕｍ Ｎｉｏｂａｔｅ）を用いた一例が示される。図６において、圧電素子３（３ａ，３ｂ，３ｃ，３ｄ）から洗浄液７である純水の中に放射される音響流あるいは弾性表面波（８ａ−８ｄ）の角度１１は、圧電素子３の垂直方向又は水平方向に対して、片側およそ２２°であり、放射中心部となる櫛形電極（４ａ、４ｂ、４ｃ、４ｄ）の中心部（Ｃａ、Ｃｂ、Ｃｃ、Ｃｄ）を起点として、両方向におよそ４４°の放射となることを示す。
【００２５】
また、対向する２つの櫛形電極（（４ａと４ｃ）、または、（４ｂと４ｄ））間の中心点Ｃ０から、各櫛形電極（４ａ、４ｂ、４ｃ、４ｄ）の中心点（Ｃ４ａ、Ｃ４ｂ、Ｃ４ｃ、Ｃ４ｄ）までの距離１２を４ｍｍとした場合、それぞれの櫛形電極（４ａ、４ｂ、４ｃ、４ｄ）から洗浄液７の中に放射される音響流あるいは超音波振動（８ａ−８ｄ）が合成される焦点１０までの距離１３は、対向する２つの櫛形電極間（（４ａと４ｃ）、または、（４ｂと４ｄ））の中心点（（Ｃ４ａとＣ４ｃ）、または、（Ｃ４ｂとＣ４ｄ））から正面垂直方向又は正面水平方向に、およそ９．９ｍｍとなることを示す。
【００２６】
図７は、除去したい微細異物の大きさに対して、その付着力と、超音波での除去力を理論計算モデルにて算出した結果を示したグラフである。図７において、縦軸は付着力（Ａｄｈｅｓｉｏｎ  ｆｏｒｃｅ［Ｎ］）と除去力（Ｒｅｍｏｖｅａｌ  ｆｏｒｃｅ［Ｎ］）とを示しており、横軸は微細異物の大きさ（Ｐａｒｔｉｃｌｅ  Ｓｉｚｅ［ｎｍ］）を示している。ここで、Ｎはニュートンであり、ｎｍはナノメータである。図７の理論計算モデルにおいては、付着力は分子間力のみ考慮し、また、除去力は、例として、周波数５ＭＨｚを、櫛形電極４ａ〜４ｄのおのおのの電極面積１ｃｍ２に、電力５０Ｗを印加した場合として算出している。
【００２７】
図７では、周波数が５ＭＨｚ、印加する単位面積当たりの超音波強度が５０Ｗ/ｃｍ２の場合において、理論上では、２０ｎｍサイズ以上の微細異物が除去可能になることを示す。本理論計算モデルでは、周波数が低いほど、また、印加する単位面積当たりの超音波強度が大きいほど、より小さいサイズの微細異物が除去できることになる。しかし、前述のキャビテーション発生による洗浄対象物へのダメージが懸念されるため、除去したい微細異物の大きさに対し、キャビテーションの非発生領域となる周波数と印加電力での使用が望ましい。
【００２８】
図８は、単位面積当たりの超音波強度と、その周波数によるキャビテーション発生しきい値を理論計算モデルにて算出した結果を示すグラフである。図８において、縦軸は超音波強度（Ｕｌｔｒａｓｏｎｉｃ  ｉｎｔｅｎｓｉｔｙ（Ｗ／ｃｍ２））を示し、縦軸は周波数（Ｆｒｅｑｕｅｎｃｙ（Ｈｚ））を示している。キャビテーション（ｃａｖｉｔａｔｉｏｎ）発生のしきい値（Ｔｈｒｅｓｈｏｌｄ）は、図８では、一例として、空気飽和水の場合を示す。図８に示すように、高い印加電力（すなわち、高い洗浄力）を必要とする場合において、キャビテーションを発生させないためには、より高い周波数を使用する必要があり、図７の例である周波数５ＭＨｚでは、およそ１０００Ｗ/ｃｍ２近くもの十分に高い印加電力でもキャビテーションが発生しないことが言える。
【００２９】
なお、図７及び図８のグラフで用いた理論計算モデルは一例である。実際の使用時には、使用する圧電素子で発生する弾性表面波によって生じる振動を洗浄液中へ放射する際の変換効率、洗浄液の性質、超音波の周波数により洗浄液中を伝搬する際に生じる超音波強度の減衰等も考慮する必要がある。これらを考慮すると、洗浄対象物に実際に到達する音響流あるいは超音波振動は、図７および図８で示す超音波強度よりも小さくなるので、これを考慮した高い印加電力が必要である。
【００３０】
図９（Ａ）は、超音波洗浄装置１００ａの概念的な構成図であり、図９（Ｂ）は、図９（Ａ）の洗浄対象物１と振動子１０１とを拡大して示した図である。
【００３１】
図９（Ａ）、図９（Ｂ）に示される洗浄方法では、超音波洗浄装置１００ａの洗浄槽６に満たされた洗浄液７の液中において、超音波８を透過する性質を持つ洗浄対象物１の裏面１ｒ側に、振動子１０１を設置する。振動子１０１は、櫛形電極４を具備した圧電素子３に、耐液性のある保護膜１４を塗布し、防水ケース１５へ収納した構造である。保護膜１４は、圧電素子３の表面に形成された櫛形電極４と、櫛形電極４の形成されていない圧電素子３の表面とを覆う様に形成される。なお、保護膜１４の表面は、櫛形電極４の有無によって、凹凸状になるが、図９（Ｂ）では、図面の簡素化のため、平坦な形状として描かれている。
【００３２】
櫛形電極４の電極面または圧電素子３の基板Ｓｕｂの主面Ｍｓ側を防水ケース１５の開口部１５ｏに密着させるため、圧電素子３の基板Ｓｕｂの主面Ｍｓに対向する裏面Ｒｓの側に、櫛形電極４への給電点１６を設ける。圧電素子３の基板Ｓｕｂには、給電点１６に接続された貫通電極１６ａを設け、給電点１６に高周波同軸ケーブル１０２を接続して、貫通電極１６ａから櫛形電極４へ給電する構造としている。振動子１０１を超音波発振器５で駆動することにより、櫛形電極４の部分から音響流あるいは超音波振動（８）が洗浄液７の中に発生し、超音波の透過特性により、洗浄対象物１を超音波が透過する。
【００３３】
すなわち、洗浄対象物１を超音波８が透過の際に、洗浄対象物１が超音波振動を起こし、その振動によって、洗浄対象物１の表面に構成される微細加工物への直接的な応力により与え得るダメージなく、微細加工物へ付着した微細異物２を除去することが出来る。
【００３４】
ただし、本応用例についても、前述の考慮に必要なパラメータに加え、洗浄対象物１の密度や厚さ、および超音波の入射角度等に依存される超音波透過率による減衰にも考慮が必要となる。
【００３５】
図１０に示す洗浄装置１００ｂは、洗浄対象物１が載置可能なステージＳＴＧを有する。ステージＳＴＧには、振動子１０１が埋め込まれており、洗浄対象物１の裏面（１ｒ）が振動子１０１の主面（Ｍｓ）に直接接触させることが可能な構成とされている。他の構成は、図１および図９（Ａ）と同じであるので、説明は省略する。
【００３６】
図１１は、図１０の洗浄対象物１と振動子１０１とを拡大して示した図である。図１１に示される洗浄方法では、振動子１０１を、洗浄対象物１の裏面１ｒ側（もしくは裏面１ｒに対向する主面１ｍ側）の一端１ｅに直接接触させる為、振動子１０１がステージＳＴＧに設けられた凹部に埋め込まれる様に設置する方式である。
【００３７】
振動子１０１は、櫛形電極４を具備した圧電素子３に、耐液性のある保護膜１４を塗布すると共に、例えば、圧電素子３の側面側および裏面側を防水ケース１５へ収納する等の防水処置が施されて、ステージＳＴＧに設けられた凹部に埋め込まれる。
【００３８】
振動子１０１の一端１０１ｅは、洗浄対象物１の裏面１ｒ側（もしくは主面１ｍ側）の一端１ｅに直接接触させるように設置される。洗浄対象物１への干渉を避けるため、圧電素子３の基板Ｓｕｂの裏面Ｒｓ側に、櫛形電極４への給電点１６が設けられる。圧電素子３の基板Ｓｕｂには、給電点１６に接続された貫通電極１６ａが設けられ、防水ケース１５内において、給電点１６には高周波同軸ケーブル１０２が接続される。この構成により、貫通電極１６ａから櫛形電極４への給電が行われる。
【００３９】
振動子１０１は高周波同軸ケーブル１０２に接続した超音波発振器５で駆動され、櫛形電極４から発生した弾性表面波１７により圧電素子３が振動し、圧電素子３の振動が被洗浄物１に直接作用して、洗浄対象物１においても超音波振動１８が生じる。超音波振動１８によって、洗浄対象物１の表面に構成される微細加工物へ付着した微細異物２を除去することが出来る。
【００４０】
図１２に示す洗浄方法では、振動子１０１を、超音波もしくは超音波振動を伝搬する事が可能な伝搬物質１９を介して、洗浄対象物１の裏面１ｒ側（もしくは主面１ｍ側）の一端に接触させるように、設置する方式である。
【００４１】
洗浄装置１００ｃにおいて、振動子１０１は、櫛形電極４を具備した圧電素子３と伝搬物質１９の一端１９ｅ側とを、接着剤などの接着層２０によって接着して、固定する。伝搬物質１９の他端１９ｏ側は洗浄対象物１の裏面１ｒ側（もしくは主面１ｍ側）の一端に直接接触させる。振動子１０１は、図１１と同様に、防水ケース１５へ収納する等の防水処置が施されて、ステージＳＴＧに設けられた凹部に埋め込まれる。
【００４２】
伝搬物質１９は、超音波の伝搬性が高く、使用劣化による発塵や素材成分の溶出の恐れがない材質で構成されるものが望ましく、例えば、石英ガラスを採用することが出来る。
【００４３】
伝搬物質１９への干渉を避けるため、圧電素子３の基板の裏面側１０１ａに、櫛形電極４への給電点１６が設けられる。圧電素子３の基板には、給電点１６に接続された貫通電極１６ａが設けられ、防水ケース１５内において、給電点１６には高周波同軸ケーブル１０２が接続される。この構成により、貫通電極１６ａから櫛形電極４への給電が行われる。
【００４４】
振動子１０１を超音波発振器５で駆動することにより、櫛形電極４により発生した弾性表面波１７により圧電素子３が振動し、超音波の透過特性により伝搬物質１９を超音波もしくは超音波振動（８）が透過して、洗浄対象物１においても超音波振動１８が生じる。超音波振動１８によって、洗浄対象物１の表面に構成される微細加工物へ付着した微細異物２を除去することが出来る。なお、図１２に示される洗浄方法において、伝搬物質１９を洗浄対象物１に直接接触させずに、伝搬物質１９を洗浄対象物１の近傍に設置することも可能である。伝搬物質１９を洗浄対象物１の近傍に設置する洗浄方法は、図９に示した洗浄方法の応用例と見做すこともでき、洗浄方法としては有効である。
【００４５】
図１３に示される、振動子１０１としての櫛形電極４を具備した圧電素子３は、超音波発振器５で駆動することにより発熱する。櫛形電極４を具備した圧電素子３に生じる発熱を放熱させるため、振動子１０１に冷却器２１を、放熱グリス２２等によって密着させた構成である。冷却器２１は、圧電素子３の熱による破損を防ぐのに必要な放熱を可能とするもので、例えば必要な大きさに加工された金属製の放熱板や、ペルチェ素子を用いたサーモモジュール等を利用することが可能である。これにより、高周波電力の印加や振動によって生じる発熱に起因される、振動子１０１の劣化や破損を抑制する事が出来る。なお、振動子１０１は、弾性表面波素子と見做すことが出来る。図１３に示される振動子１０１は、例えば、図２、図３、図５、図９、図１１、図１２等の振動子として利用することが可能である。
【００４６】
いずれの方法においても、従来よりも高い周波数帯による、より微細な洗浄効果を得るためには、高い周波数と高い電力で駆動することが出来る振動子を備えた洗浄装置が必要であり、本実施形態により、その応用を実現することが可能となる。つまり、本実施形態では、洗浄対象物の更なる微細化と構造複雑化に対応したキャビテーションの発生しない高周波数での繊細な洗浄を可能とする。
【００４７】
一般に、同じ超音波強度であれば、周波数が高くなるほど超音波の変位（振幅）が小さくなるため、弱いキャビテーションとなり、一方で、キャビテーションが弱いと洗浄力も弱まる。そのため、洗浄対象物へのダメージが懸念されずに強力な洗浄が要求される洗浄用途では低い周波数が用いられ、洗浄対象物へのダメージを抑制したい繊細な洗浄が要求される洗浄用途では高い周波数が用いられている。すなわち、洗浄用途に適応した周波数を選択する必要がある。キャビテーションの発生領域は、使用する液体の性質と、振動子に用いられる圧電素子の単位面積当たりの超音波強度（Ｗ/ｃｍ２）と、周波数（Ｈｚ）に依存し、高い周波数ほどキャビテーションの非発生領域は大きな超音波強度まで広がる。
【００４８】
現在実用化されているＰＺＴ素子による洗浄液を用いた洗浄装置としては、上限として２ＭＨｚ程度の周波数が用いられている。例えば、空気飽和水の場合、２ＭＨｚでのキャビテーションの非発生領域は、理論計算値から安全マージンを考慮すると、実用的なＰＺＴ素子の単位面積当たりの超音波強度として、およそ１０Ｗ/ｃｍ２以下となる範囲での使用に限られる。
【００４９】
しかしながら、本実施形態では、弾性表面波が発生する櫛形電極４の設計として、２ＭＨｚ以上から数ＧＨｚ程度まで可能となり、更に高い印加電力でもキャビテーションの発生しない領域での使用が可能である(図８参照)。
【００５０】
また、１つの櫛形電極４では洗浄効果が不十分となる場合においては、複数の櫛形電極４ａ−４ｄを有する圧電素子３（３ａ，３ｂ，３ｃ，３ｄ）を用いることで、櫛形電極４ａ−４ｄのそれぞれから発生する弾性表面波により生じる音響流、あるいは洗浄液中に伝わる超音波振動を、液中における弾性表面波の放射特性から求められる焦点１０にて合成させることにより、合成焦点における洗浄効果を向上させることが可能である（図４、図６参照）。
【００５１】
液中における弾性表面波の放射特性は、圧電素子３上に設置された櫛形電極（４、４ａ−４ｄ）からある角度をもって放射されることが知られており、その放射角度は、圧電素子３上に発生する弾性表面波のレイリー波速度と、液体の伝搬速度に依存する。
【００５２】
例えば、ＬｉＮｂＯ３素子を用いた圧電素子３で純水中に放射される角度は、圧電素子３の垂直方向に対して片側およそ２２°、放射中心部から左右両方に放射でおよそ４４°、となる。その角度と、複数設置された各櫛形電極４ａ−４ｄの中心部の間隔により、放射された超音波の焦点１０（圧電素子３ａ，３ｂ，３ｃ，３ｄからの位置関係）を求めることが出来る(図６参照)。
【００５３】
また、圧電素子３において、ＬｉＮｂＯ３と材質の特性が異なる素子を用いることにより、弾性表面波のレイリー波速度も異なるため、用途に適応した別の角度で利用することも可能である。
【００５４】
なお、櫛形電極４（４ａ−４ｄ）を有する圧電素子３（３ａ，３ｂ，３ｃ，３ｄ）より生じる弾性表面波については、既に高周波電力のフィルタ用途としてその原理や設計理論は確立されたものであり、本発明に使用する周波数や必要な素子サイズに適用した電極設計を容易に行うことが可能である。
【００５５】
例えば、櫛形電極（４＿１，４＿２、４ａ−４ｄ）による生じる弾性表面波の伝搬速度は、櫛形電極（４＿１，４＿２、４ａ−４ｄ）間のピッチと周波数に依存することが知られている。
【００５６】
また、洗浄方法の応用例として、洗浄対象物１の裏面側からの超音波照射によって、洗浄対象物１の表面側上の微細異物２を除去しつつ、微細加工物への直接的な応力により与え得るダメージを回避することが可能である。
【００５７】
また、高周波数で駆動できる櫛形電極（４、４ａ−４ｄ）を有する圧電素子３（３ａ，３ｂ，３ｃ，３ｄ）を用いることで、適用する周波数の応用範囲が、従来のＰＺＴ素子よりも広範囲で設定することが可能となり、且つ印加電力の制御による音響流あるいは洗浄液中に伝わる超音波振動の応答性能を活用し、洗浄用途に限らず、液中の超音波効果による様々な用途への応用が可能である。
【００５８】
本実施形態によれば、以下の１つまたは複数の効果が得られる。
【００５９】
１）振動子１０１は、洗浄対象物へのダメージの要因となるキャビテーションが発生しない高周波数帯での駆動が可能な櫛形電極（４、４ａ−４ｄ）を有する圧電素子３を用いる。
【００６０】
２）振動子１０１によって生じる弾性表面波による洗浄液中の音響流、あるいは洗浄液と洗浄液中に伝わる超音波振動の相乗効果によって洗浄効果を得ることが出来る。
【００６１】
３）圧電素子３の材料としては、弾性表面波の発生や洗浄液への超音波放射に効率の良いものを使用し、例えば、弾性表面波を利用した高周波電力のフィルタ用途として一般的なニオブ酸リチウム（ＬｉＮｂＯ３）素子などを用いる。
【００６２】
４）振動子１０１において、1つの櫛形電極（４）ではその供給可能電力により十分な洗浄効果を得られない場合、複数の櫛形電極（４＿１、４＿２、または、４ａ−４ｄ）を一定の間隔で設置し、供給電力をそれぞれの櫛形電極（４ａ−４ｄ）へ同時印加し、液中における弾性表面波の放射特性により圧電素子３ａ−３ｄから複数放射される超音波を特定の焦点１０で合成させる。これにより、１つの櫛形電極を使用した場合と比較して、その焦点１０での洗浄効果を向上させることが出来る。
【００６３】
５）洗浄対象物１の表面に構成される微細加工物へのダメージに対し、超音波が透過する洗浄対象物１については、洗浄液中の洗浄対象物１の裏面の直近から超音波を照射させ、超音波が透過する際に生じる洗浄対象物１自体の振動および洗浄液中に生じる水流により、洗浄対象物１上の微細異物２を除去する。これにより、洗浄対象物１の表面に構成される微細加工物へ超音波が直接当たることにより発生し得るダメージを回避することが出来る。
【００６４】
以上、本発明者によってなされた発明を実施例に基づき具体的に説明したが、本発明は、上記実施形態および実施例に限定されるものではなく、種々変更可能であることはいうまでもない。
【００６５】
本発明の他の応用例として、本発明における振動子１０１を使用することにより、適用する周波数の応用範囲が、ＰＺＴ素子よりも高い周波数帯まで広範囲で設計することが可能であり、且つ、振動子１０１を駆動させる超音波発振器５側からの高周波電力発振制御（連続発振、断続発振、電力変動等）による音響流あるいは洗浄液中に伝わる超音波振動への応答性能を活用し、洗浄用途に限らず、液中に生じる超音波効果に期待される様々な用途への応用も可能である。
【００６６】
たとえば、高周波数であるほど波長は短くなるため、微細隙間へ超音波が入り込むことが可能となり、入り組んだ隙間に付着している微細異物の除去といった、低周波数では実現できなかった微細隙間に対しての超音波作用が期待できる。
【００６７】
また、本発明は、液中に関わらず、高周波数の超音波に期待される作用で、気中での超音波伝搬の特性を利用した用途への応用も可能である。
【００６８】
また、上述の実施形態では、半導体ウエハ等の微細加工品に対して洗浄処理を行う超音波洗浄装置及び洗浄方法に関して説明されたが、本発明は半導体製造装置及び半導体装置の製造方法に限定されるものではなく、例えば、液晶表示（ＬＣＤ）装置のようなガラス基板に対して洗浄処理を行う超音波洗浄装置及び洗浄方法にも適用可能である。
【００６９】
また、本発明は、洗浄用途ばかりでなく、撹拌用途、液流動用途、ポンプ用途、霧化用途、噴水用途、物体搬送用途、粒子分離用途、粒子凝集用途、加熱用途等にも、適用可能である。
【００７０】
（本発明の好ましい態様）
以下に、本発明の好ましい態様について付記する。
【００７１】
（付記１）
請求項１の超音波洗浄装置において、前記超音波発振器は、発信周波数として２ＭＨｚを超えた高周波電力を前記振動子に供給するように構成されている超音波洗浄装置。
【００７２】
（付記２）
上記（付記１)の超音波洗浄装置において、前記発信周波数は２ＭＨｚ〜数ＧＨｚである超音波洗浄装置。
【００７３】
（付記３）
請求項１の超音波洗浄装置において、前記圧電素子は、ニオブ酸リチウム素子である超音波洗浄装置。
【００７４】
（付記４)
上記（付記３)の超音波洗浄装置において、前記圧電素子上に設置された櫛形電極から放射される放射角度は、２２°〜４４°である超音波洗浄装置。
【００７５】
（付記５)
上記（付記３)の超音波洗浄装置において、前記放射角度は、前記圧電素子の材質に応じて決定される超音波洗浄装置。
【００７６】
（付記６)
上記（付記３)の超音波洗浄装置において、前記圧電素子と前記洗浄対象物の位置は、前記放射角度と、複数設置された各櫛形電極中心部の間隔により、放射される超音波の焦点の位置にするよう構成される超音波洗浄装置。
【００７７】
（付記７)
請求項１の超音波洗浄装置において、前記櫛形電極による生じる弾性表面波の伝搬速度は、櫛形電極間のピッチと周波数に依存される超音波洗浄装置。
【符号の説明】
【００７８】
１：洗浄対象物
３：圧電素子
４、４ａ、４ｂ、４ｃ、４ｄ：櫛形電極
５：超音波発振器
６：洗浄槽
７：洗浄液
１００：超音波洗浄装置
１０１：振動子
【図１】
2019153638.tif 000003
【図２】
2019153638.tif 000004
【図３】
2019153638.tif 000005
【図４】
2019153638.tif 000006
【図５】
2019153638.tif 000007
【図６】
2019153638.tif 000008
【図７】
2019153638.tif 000009
【図８】
2019153638.tif 000010
【図９】
2019153638.tif 000011
【図１０】
2019153638.tif 000012
【図１１】
2019153638.tif 000013
【図１２】
2019153638.tif 000014
【図１３】
2019153638.tif 000015